(57)【要約】  棚板装置１は、収納空間２を区画する両側内壁６，８に架け渡されるように配設される略矩形平板状の棚板本体１０と、該棚板本体の全幅に亘って後端面１２に取り付けられ、前記収納空間を区画する奥側面５を照射するように配設される照明装置２０と、を備えており、前記照明装置は、前記収納空間の奥側面に向けて開口するように前記棚板本体の全幅に亘る収納凹所２２を設け、該棚板本体の後端面に取り付けられた取付部２１と、該取付部の収納凹所に収納され、前記棚板本体の略全幅に亘る発光部３７を有した照明本体部３０と、を備えている。
2014020814.tif 000002
【特許請求の範囲】
【請求項１】
収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、
前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えていることを特徴とする棚板装置。
【請求項２】
請求項１において、
前記照明本体部は、前記棚板本体の幅方向に延び、少なくとも長手方向一端部に入射面を設け、長手方向一側面部に出射面を設けた前記発光部を構成する導光体と、この導光体の入射面に対向配置された発光素子と、を備えていることを特徴とする棚板装置。
【請求項３】
請求項１または２において、
前記取付部の収納凹所は、当該収納凹所に収納された前記照明本体部の発光部の出射方向が斜め上向きに指向するように、斜め上向きに開口するように設けられていることを特徴とする棚板装置。
【請求項４】
請求項１乃至３のいずれか１項において、
前記照明装置は、前記取付部の上面側に前記棚板本体の全幅に亘るように設けられ、前記棚板本体の後端面と前記収納空間の奥側面との間を覆うように配設される透光性カバー部を備えていることを特徴とする棚板装置。
【請求項５】
請求項４において、
前記透光性カバー部は、前記取付部とは別体的に前記取付部の上面に載置されるように配設される構成とされ、かつ、その下面側に、該取付部の上面を覆う部位よりも前記収納空間の奥側面側部位の厚さ寸法を前記取付部の収納凹所を区画する上片部に応じて大きくして段差部を設けていることを特徴とする棚板装置。
【請求項６】
請求項１乃至５のいずれか１項において、
前記取付部には、前記収納凹所の底面において開口するように、前記収納空間の奥行方向に沿う方向に貫通する止具挿通孔が設けられており、該取付部は、該止具挿通孔に挿通された止具によって前記棚板本体の後端面に取り付けられていることを特徴とする棚板装置。
【請求項７】
請求項１乃至６のいずれか１項において、
前記取付部には、前記収納凹所の底面に連通するように配線収納凹所が設けられていることを特徴とする棚板装置。
【発明の詳細な説明】
【技術分野】
【０００１】
本発明は、収納空間を区画する両側内壁に架け渡されるように配設される棚板装置に関する。
【背景技術】
【０００２】
従来より、収納空間の天面（天板や棚板等の下面）等に照明器具を設け、収納空間の底面（棚板の上面）に載置された物品等を照らすようにした収納棚等が知られている。このようなものでは、照明器具から直接的に物品等に照射されることとなるため、近時においては、落ち着きのある雰囲気等を演出すべく、収納空間の奥側面（背板の前面等）を照らすように照明器具を設け、間接的に物品等を照射可能とした収納棚等が知られている。
例えば、下記特許文献１では、背板の前方に隙間を隔てて棚板を配置し、該棚板の後端面に背板の前面を照らす照明器具を設けた収納棚が提案されている。この収納棚は、棚板の後部に左右両端を残して上下及び後方に開口する切欠凹部を形成し、該切欠凹部の上方を覆う覆い片を、透光板材とした構成とされている。
【先行技術文献】
【特許文献】
【０００３】
【特許文献１】特開２００６−１９８０２０号公報
【発明の概要】
【発明が解決しようとする課題】
【０００４】
しかしながら、上記特許文献１に記載の収納棚では、棚板の後部に左右両端を残して形成された切欠凹部に照明器具が配設されることとなり、棚板の後端部の左右方向（幅方向）両端部位の後方側の背板の前面を効果的に照射し難いものであった。また、棚板の後端部の上面側の透光板材の両側に棚板の残余部分が存在するため、見栄えが悪くなることも考えられる。【０００５】
本発明は、上記実情に鑑みてなされたものであり、棚板の略全幅から収納空間の奥側面を効果的に照射し、かつ見栄えを向上し得る棚板装置を提供することを目的としている。
【課題を解決するための手段】
【０００６】
上記目的を達成するために、本発明に係る棚板装置は、収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えていることを特徴とする。【０００７】
本発明においては、前記照明本体部を、前記棚板本体の幅方向に延び、少なくとも長手方向一端部に入射面を設け、長手方向一側面部に出射面を設けた前記発光部を構成する導光体と、この導光体の入射面に対向配置された発光素子と、を備えたものとしてもよい。
また、本発明においては、前記取付部の収納凹所を、当該収納凹所に収納された前記照明本体部の発光部の出射方向が斜め上向きに指向するように、斜め上向きに開口するように設けてもよい。
また、本発明においては、前記照明装置を、前記取付部の上面側に前記棚板本体の全幅に亘るように設けられ、前記棚板本体の後端面と前記収納空間の奥側面との間を覆うように配設される透光性カバー部を備えたものとしてもよい。
また、本発明においては、前記透光性カバー部を、前記取付部とは別体的に前記取付部の上面に載置されるように配設される構成とし、かつ、その下面側に、該取付部の上面を覆う部位よりも前記収納空間の奥側面側部位の厚さ寸法を前記取付部の収納凹所を区画する上片部に応じて大きくして段差部を設けてもよい。
また、本発明においては、前記取付部に、前記収納凹所の底面において開口するように、前記収納空間の奥行方向に沿う方向に貫通する止具挿通孔を設け、該取付部を、該止具挿通孔に挿通された止具によって前記棚板本体の後端面に取り付けるようにしてもよい。
また、本発明においては、前記取付部に、前記収納凹所の底面に連通するように配線収納凹所を設けてもよい。
【発明の効果】
【０００８】
本発明に係る棚板装置は、上述のような構成としたことで、棚板の略全幅から収納空間の奥側面を効果的に照射することができ、また、見栄えを向上させることができる。
【図面の簡単な説明】
【０００９】
【図１】本発明の一実施形態に係る棚板装置の一例を模式的に示す概略斜視図である。
【図２】同棚板装置を模式的に示す一部破断概略分解斜視図である。
【図３】（ａ）は、図４におけるＸ−Ｘ線矢視に対応させた一部破断概略側面図、（ｂ）は、（ａ）に対応させた一部破断概略分解側面図である。
【図４】同棚板装置を組み込んだ収納構造の一例を模式的に示す概略正面図である。
【発明を実施するための形態】
【００１０】
以下に本発明の実施の形態について、図面に基づいて説明する。
図１〜図４は、本実施形態に係る棚板装置の一例及び同棚板装置を組み込んだ収納構造の一例を模式的に示す図である。
なお、一部の図では、他図に付している詳細な符号の一部を省略している。
また、以下の実施形態では、棚板装置を収納空間に組み込んだ状態で、収納空間に対面した状態を基準として、手前側を前方、その逆側を後方とし、また、その状態を基準として、上下方向及び左右方向等の方向を原則的に説明する。
【００１１】
本実施形態に係る棚板装置１は、図４に示すように、収納空間２を区画する両側内壁６，８に架け渡されるように配設される略矩形平板状の棚板本体１０を備えている。また、棚板装置１は、この棚板本体１０の全幅（左右方向全体）に亘って後端面１２（図１等参照）に取り付けられ、収納空間２を区画する奥側面５を照射するように配設される照明装置２０を備えている。
図例では、住居等の建物内に掘り込み状の収納空間２を設けた例を示しており、その天面を天井面３によって区画し、その底面を床面４によって区画し、その奥側面を、間仕切壁等の奥側壁面５によって区画した例を示している。また、収納空間２の左右両側を間仕切壁等の壁面６，６によって区画し、さらに収納空間２を左右に区画する縦仕切板７を設けた例を示している。また、本実施形態に係る棚板装置１を、両側内壁を構成する一方（図示左方）の壁面６及び縦仕切板７の一方（図示左方）の側面８間に架け渡すように設けた例を示している。
【００１２】
また、縦仕切板７によって左右に区画された収納空間２の一方に、本実施形態に係る棚板装置１を複数（図例では、２つ）設けた例を示している。また、図例では、縦仕切板７によって左右に区画された収納空間２のそれぞれに、上下に間隔を空けて複数枚の棚板１Ａ・・・を設けた例を示している。これら棚板１Ａは、略矩形平板状とされ、照明機能等を有していないものである。また、これら棚板１Ａは、縦仕切板７によって左右に区画された収納空間２の一方を区画する一方（図示左方）の壁面６及び縦仕切板７の一方（図示左方）の側面８間、並びに縦仕切板７によって左右に区画された収納空間２の他方を区画する他方（図示右方）の壁面６及び縦仕切板７の他方（図示右方）の側面８間にそれぞれ架け渡すように設けられている。
つまり、図例では、本実施形態に係る棚板装置１と、他の棚板１Ａと、を収納空間２に組み込んだ収納構造を例示している。
【００１３】
なお、これら棚板１Ａは、それぞれの幅方向両側端部（左右方向両側端部）が、両側内壁を構成する壁面６及び側面８に固定されたものとしてもよく、または、上下位置の調整が可能なように取り付けられたものとしてもよい。このような上下位置の調整を可能とする態様としては、壁面６及び側面８に上下に間隔を空けて複数の棚受けダボが挿入されるダボ穴を設け、棚板１Ａの下面側等に、適宜のダボ穴に挿入された棚受けダボが係合する係合凹所等を設けた態様としてもよい。
また、棚板１Ａや、本実施形態に係る棚板装置１を設ける位置や個数等は、図例に限られず、適宜の位置、個数としてもよい。
【００１４】
また、本実施形態に係る棚板装置１が組み込まれる収納空間２としては、上記したような態様に限られない。例えば、縦仕切板７を設けずに、掘り込み状に形成された収納空間２としてもよい。この場合は、左右の間仕切壁等の対向する両壁面が両側内壁を構成することとなる。または、少なくとも左右の側板を備えた収納装置（収納家具）の収納空間としてもよい。この場合は、左右の側板の対向する両内側面が両側内壁を構成することとなる。また、この場合は、本実施形態に係る棚板装置１と、少なくとも左右の側板と、を備えた収納装置として把握するようにしてもよい。
また、本実施形態では、収納空間２の奥側面を、奥側壁面５とした例を示しているが、収納装置（収納家具）の背板の前面としてもよい。
また、収納空間２の前方開口を開閉自在に覆う透光性を有した（好ましくは透明の）樹脂系材料やガラス等からなる開き戸や引戸等の扉体を設けるようにしてもよい。
【００１５】
本実施形態に係る棚板装置１の棚板本体１０は、図４に示すように、その幅寸法（左右寸法、収納間口方向に沿う寸法）が、両側内壁６，８間の寸法に応じた寸法とされている。
また、棚板本体１０の前後寸法（収納空間２の奥行方向に沿う寸法）は、当該棚板本体１０の後端面１２と収納空間２の奥側壁面５との間に照明装置２０の配設が可能なように、収納空間２の奥行寸法よりも小さい寸法とされている（図３（ａ）参照）。なお、棚板本体１０の前後寸法は、その前端面が収納前面と略同一平面状となるような寸法としてもよく、または、その前端面が収納前面よりも奥側に少許控えた位置となるような寸法としてもよい。
また、この棚板本体１０の厚さ寸法は、後記する照明装置２０の厚さ寸法に応じた寸法としてもよく、一般的な棚板と同程度の寸法としてもよく、例えば、１０ｍｍ〜３０ｍｍ程度としてもよい。
【００１６】
なお、この棚板本体１０は、木質系材料を板状に加工した基材に、適宜、合成樹脂シートや突板等の表面化粧シートを貼着した構成とされたものとしてもよい。また、木質系材料としては、合板やＬＶＬ（単板積層材）等の木質積層板、パーティクルボード等の木質ボード、インシュレーションボードやＭＤＦ（中密度繊維板）等の木質繊維板などが挙げられる。また、木質系材料としては、合成樹脂系材料に、木粉や無機フィラー、相溶化剤、着色剤などを所定の含有割合で含有させた木粉・プラスチック複合材（ＷＰＣ）としてもよい。また、上記基材としては、合成樹脂系材料や金属系材料からなるものとしてもよい。
また、当該棚板装置１は、この棚板本体１０の幅方向両側端部を、両側内壁６，８に固定して収納空間２に組み込むようにしてもよい。または、上記同様、棚板本体１０の下面側等に、棚受けダボが係合する係合凹所等を設け、収納空間２に対して上下位置の調整が可能なように取り付けられるものとしてもよい。
【００１７】
照明装置２０は、図１〜図３に示すように、棚板本体１０の幅寸法と略同寸法とされた長尺状とされている。
この照明装置２０は、収納空間２の奥側壁面５に向けて開口するように棚板本体１０の全幅に亘る収納凹所２２を設け、棚板本体１０の後端面１２に取り付けられた取付部２１を備えている。また、照明装置２０は、この取付部２１の収納凹所２２に収納され、棚板本体１０の略全幅に亘る発光部３７を有した照明本体部３０を備えている。また、照明装置２０は、取付部２１の上面２４ａ側に棚板本体１０の全幅に亘るように設けられ、棚板本体１０の後端面１２と収納空間２の奥側壁面５との間を覆うように配設される透光性カバー部４０を備えている。
本実施形態では、この透光性カバー部４０を、取付部２１とは別体的に取付部２１の上面２４ａに載置されるように配設される構成としている。
【００１８】
取付部２１は、図１及び図２に示すように、棚板本体１０の幅寸法と略同寸法の長さとされ、その長手方向を棚板本体１０の幅方向に沿わせ、棚板本体１０の全幅に亘ってその後端面１２に取り付けられている。
また、取付部２１は、図３に示すように、収納凹所２２の上側を区画する上片部２４と収納凹所２２の底面側（後方に向く側、溝底側）を区画する底壁部２５と収納凹所２２の下側を区画する下片部２７とを備えている。収納凹所２２は、これら上片部２４、底壁部２５及び下片部２７によって区画されて後方側に開口し、取付部２１の全長に亘って設けられた凹溝状とされている。また、この収納凹所２２を区画する上片部２４、底壁部２５及び下片部２７からなる部位の外郭の厚さ寸法（上下寸法）は、棚板本体１０の厚さ寸法よりも小さく形成されている。
また、本実施形態では、取付部２１の収納凹所２２を、当該収納凹所２２に収納された照明本体部３０の発光部３７の出射方向が斜め上向きに指向するように、斜め上向きに開口するように設けている。つまり、収納凹所２２の開口方向を、真後ろ方向とせずに、斜め上後方としている。
【００１９】
この収納凹所２２の斜め上側への傾斜角度（開口方向を真後ろとした場合の仮想的な収納凹所とのなす角度）は、当該棚板装置１の上方側空間の上下寸法や、所望する照射範囲、後記する照明本体部３０の構成、当該取付部２１の棚板本体１０への取付態様等に応じて、適宜、設定するようにしてもよい。例えば、この傾斜角度を、５度〜４５度程度、好ましくは、５度〜３０度程度としてもよい。図例では、この傾斜角度を、略１５度としている。この傾斜角度が余りにも小さければ、当該棚板装置１の上方側空間の奥側壁面５への照射範囲が小さくなる傾向がある。一方、上記傾斜角度が余りにも大きければ、照射範囲は大きくなるが照度が低くなる傾向があり、また、照明本体部３０の構成によっては、棚板本体１０の厚さ内に取付部２１の照明本体部３０を収納する収納凹所２２を区画する部位が収まり難くなる傾向がある。また、図３に示すように、取付部２１を、その底壁部２５をねじ等の止具９によって棚板本体１０に取り付ける態様とした場合には、止具９の捩じ込み（打ち込み）等がし難くなる傾向がある。
【００２０】
上片部２４は、図３に示すように、棚板本体１０の後端面１２から後方側に向けて延びるように設けられている。また、この上片部２４の上面２４ａが当該取付部２１の上面を構成し、棚板本体１０の上面１１に略平行とされた平面状に形成されている。この上片部２５は、その前端部が底壁部２５に連なるように形成され、棚板本体１０の後端面１２に当接されている。また、上片部２４は、その上面２４ａが、棚板本体１０の上面１１よりも少許下方に位置するように設けられている。
また、この上片部２４の下面は、上記した収納凹所２２の開口方向に応じて、後方に向かうに従い概ね上方側に傾斜する上向き傾斜面とされている。また、本実施形態では、上片部２４の下面の開口側部位に、後方に向かうに従い下方に傾斜する下向き傾斜面を設けている。また、図例では、この上片部２４の下面の前方側部位に、該下面に対して略直交方向に突出するリブを設けた例を示している。また、図例では、この上片部２４を、その前方側部位に中空部を設けた中空構造としている。
【００２１】
下片部２７は、棚板本体１０の後端面１２から後方側に向けて延びるように設けられており、上片部２４の下面に対して略平行に設けられている。この下片部２７は、その前端部が底壁部２５に連なるように形成され、棚板本体１０の後端面１２に当接されている。
また、この下片部２７は、収納凹所２２の下側開口縁を構成するその後端縁部と、収納凹所２２の上側開口縁を構成する上片部２４の後端縁部２４ｂとが、収納凹所２２の開口方向に略直交する略同一平面上に位置するように形成されている。
また、この下片部２７の開口側部位は、上方側に屈曲され、後方に向かうに従いさらに上方に傾斜する上向き傾斜片部とされている。
【００２２】
また、本実施形態では、取付部２１に、収納凹所２２の底面に連通するように配線収納凹所２３を設けている。
この配線収納凹所２３は、図３（ａ）に示すように、収納凹所２２に照明本体部３０を収納させた状態で配線スペースが形成されるように設けられている。
また、本実施形態では、配線収納凹所２３を、収納凹所２２を更に深くするように、収納凹所２２の底面側の一部に一連状に設けている。つまり、収納凹所２２の底面側を区画する底壁部２５の一部を切り欠くようにして配線収納凹所２３を取付部２１の全長（棚板本体１０の全幅）に亘って設けている。
【００２３】
また、本実施形態では、取付部２１に、収納凹所２２の底面において開口するように、収納空間２の奥行方向（前後方向）に沿う方向に貫通する止具挿通孔２６を設けている。
この止具挿通孔２６は、底壁部２５を厚さ方向に貫通して設けられている。また、本実施形態では、この止具挿通孔２６を、配線収納凹所２３の底面において開口するように設けている。
また、この止具挿通孔２６は、図３（ｂ）に示すように、収納凹所２２の開口側から止具９を、真前方向に捩じ込み（打ち込み）操作が可能なように設けられている。つまり、真後側から取付部２１を見た状態で、上記のように傾斜構造とされた収納凹所２２を区画する下片部２７に止具挿通孔２６が重合しないように、上片部２４と下片部２７との間に位置するように止具挿通孔２６を設けている。
【００２４】
また、この止具挿通孔２６は、底壁部２５の前面側部位よりも後面側部位が大径状とされており、後面側部位に止具９の頭部の収容を可能としている。
また、この止具挿通孔２６は、取付部２１の長手方向（棚板本体１０の幅方向）に沿って間隔を空けて複数箇所に設けられている。
取付部２１は、この止具挿通孔２６に挿通された止具９によって棚板本体１０の後端面１２に取り付けられている。
【００２５】
また、底壁部２５には、後記する照明本体部３０に設けられた係合凸部３４，３５が係合する係合凹部２５ａ，２５ｂが設けられている。図例では、底壁部２５と上片部２４との入隅部位に、収納凹所２２の開口方向と同方向に沿って開口する上側係合凹部２５ａを設け、底壁部２５と下片部２７との入隅部位に、収納凹所２２の開口方向と同方向に沿って開口する下側係合凹部２５ｂを設けた例を示している。
また、図例では、底壁部２５の前面側下端部位に前方に向けて開口する凹溝を取付部２１の全長に亘って設けた例を示している。このように、底壁部２５や上片部２４に、凹溝や中空部を設けることで、取付部２１の軽量化及び低コスト化を図ることができる。
【００２６】
また、本実施形態では、下片部２７の前端部（底壁部２５の下端部）に連なるように下方に向けて垂れ下がる垂下片２８を設けている。この垂下片２８は、その前面が棚板本体１０の後端面１２に当接される。このような垂下片２８を設けることで、棚板本体１０の厚さ寸法に対して収納凹所２２を区画する部位の厚さ寸法が比較的に小さい場合にも取付部２１を棚板本体１０の後端面１２に安定的に取り付けることができる。
また、本実施形態では、この垂下片２８の下端縁に連なるように前方に向けて突出する突片部２９を設けている。この突片部２９は、図３に示すように、棚板本体１０の下面に当接される。このような突片部２９を設けることで、棚板本体１０に対する棚板本体１０の厚さ方向に沿う取付部２１の位置決めを容易に行うことができ、組付性を向上させることができる。
【００２７】
なお、これら垂下片２８及び突片部２９の両方または一方を設けないようにしてもよい。例えば、垂下片２８を設けずに、下片部２７の前端部や底壁部２５の下端部等に連なるように突片部２９を設けるようにしてもよい。
また、取付部２１は、押出成形等によって形成された略同一断面形状の長尺状体としてもよい。また、この取付部２１は、金属系材料や合成樹脂系材料から形成されたものとしてもよい。
【００２８】
照明本体部３０は、図１及び図２に示すように、取付部２１の長さ寸法と略同長さ寸法とされた長尺状体とされている。
この照明本体部３０の発光部３７は、取付部２１の長手方向に沿って延びる長尺状とされ、収納凹所２２に収納された状態で、出射方向が収納凹所２２の上記した開口方向と同方向に指向するように設けられている。つまり、発光部３７は、その出射方向が、真後ろ方向ではなく、斜め上後方とされている。この発光部３７を備えた照明本体部３０は、取付部２１の後端から照射対象面としての奥側壁面５に向けてライン状に概ね一様に出射し、奥側壁面５を照射する構成とされている。
【００２９】
照明本体部３０は、棚板本体１０の幅方向（取付部２１の長手方向）に延び、少なくとも長手方向一端部に入射面を設け、長手方向一側面部に出射面３８を設けた導光体３７と、この導光体３７の入射面に対向配置された光源３２を構成する発光素子と、を備えている。導光体３７は、棒状とされており、発光部を構成する。また、本実施形態では、照明本体部３０を、図２及び図３に示すように、光源３２を構成する発光素子としてのＬＥＤ（発光ダイオード）等を有した基板３１と、この基板３１の光源３２からの光を導光し、出射する発光部としての棒状導光体３７と、を備えたものとしている。また、本実施形態では、照明本体部３０は、棒状導光体３７を収容するケース３３と、棒状導光体３７の出射面３８を覆うように設けられた透光性を有した表面カバー３９と、を備えている。なお、この表面カバー３９を、照明本体部３０の発光部として把握するようにしてもよい。
また、本実施形態では、図２に示すように、長手方向両端部のそれぞれに基板３１，３１を配設した照明本体部３０を例示している。
なお、本実施形態では、取付部２１の収納凹所２２に、単一の照明本体部３０を収納させた例を示しているが、取付部２１の収納凹所２２に、長手方向に沿って複数の照明本体部３０を直列状に隣接させて設けた態様としてもよい。
【００３０】
棒状導光体３７は、詳細な図示は省略しているが、長尺棒状とされ、長手方向両端部のそれぞれに、基板３１，３１に設けられた光源３２，３２が対向配置される入射面を有している。また、棒状導光体３７は、これら入射面に略交差する長手方向に沿って形成された一側面部に、入射面からの光を出射する出射面３８を有している。この出射面３８は、取付部２１の収納凹所２２の開口側に位置し、当該出射面３８からの出射方向（出射光の光軸）が、上記した収納凹所２２の開口方向と同方向に指向するように設けられている。また、棒状導光体３７は、この出射面３８の反対側の収納凹所２２の底面側に、長手方向に沿って形成された反射部を有している。また、棒状導光体３７は、この反射部から出射面３８に向かうに従い拡開状（すり鉢状）のレンズ形状とされており、その両側面部（収納凹所２２の両側壁に対向する面）が反射面とされている。
【００３１】
なお、この棒状導光体３７は、アクリル樹脂やポリカーボネート樹脂等の透光性を有した樹脂系材料や透明の樹脂系材料、透明ガラス等の屈折率の高い材料から一体的に形成するようにしてもよい。
また、棒状導光体３７としては、上記したものに限られず、長手方向端面の入射面から入射された光を、反射部や反射面によって反射させ、長手方向に沿って導光しながら、出射面３８から出射する、いわゆるエッジライト方式の構造であればよい。
【００３２】
ケース３３は、棒状導光体３７の収容が可能な形状とされている。このケース３３は、詳細な図示は省略しているが、取付部２１の収納凹所２２の開口方向と同方向に開口する形状とされ、その開口側が表面カバー３９によって覆われるように封止され、長手方向両側の開口が、基板３１，３１によって封止された態様とされている。照明本体部３０を、このような構成とすることで、照明本体部３０の取扱性を向上させることができ、また、取付部２１への組付性を向上させることができる。また、塵埃や湿気等の侵入を抑制することができ、また、棒状導光体３７や基板３１，３１を保護することができる。
【００３３】
このケース３３は、その上面が取付部２１の上片部２４の下面に当接され、その下面が取付部２１の下片部２７の上面に当接されており、これにより、照明本体部３０の取付部２１に対する上下方向への移動が規制されている。また、このケース３３の後面側の上縁部及び下縁部は、上片部２４の下面の開口側部位の上記下向き傾斜面及び下片部２７の開口側部位の上記上向き傾斜片部に応じた形状とされ、これらに当接されている。これにより、照明本体部３０の取付部２１に対する後方側への移動が規制されている。
【００３４】
また、このケース３３は、その前面側の上縁部が取付部２１の上片部２４の上記リブに当接されており、これにより、照明本体部３０の取付部２１に対する前方側への移動が規制されている。また、このケース３３の前面側には、上記した取付部２１の底壁部２５に設けられた係合凹部２５ａ，２５ｂに係合する係合凸部３４，３５が設けられている。図例では、底壁部２５の上側係合凹部２５ａに係合する上側係合凸部３４をケース３３の前面側の上縁部に設け、底壁部２５の下側係合凹部２５ｂに係合する下側係合凸部３５をケース３３の前面側の下縁部に設けた例を示している。これら上下の係合凸部３４，３５が底壁部２５の上下の係合凹部２５ａ，２５ｂに係合し、当該ケース３３（つまりは照明本体部３０）が取付部２１の収納凹所２２に安定的に収納される構成とされている。
また、図例では、これら上側係合凸部３４及び下側係合凸部３５の突出寸法を異なる寸法としている。このような構成とすることで、照明本体部３０を取付部２１に組み付ける際における照明本体部３０の上下面を容易に認識することができる。
【００３５】
上記のような構成により、取付部２１の収納凹所２２に収納されたケース３３に収容された棒状導光体３７は、その出射面３８の出射方向が上記方向となるように保持される構成とされている。なお、棒状導光体３７をケース３３内において容易かつ確実に保持可能なように、ケース３３及び棒状導光体３７に、互いに係合する係合部を設けるようにしてもよい。
また、図例では、ケース３３の前面側に、取付部２１の配線収納凹所２３に向けて開口し、配線を保持する配線保持部３６を設けている。このような配線保持部３６を設けることで、配線作業を容易に行うことができる。
なお、ケース３３は、金属系材料や合成樹脂系材料から形成されたものとしてもよい。
また、ケース３３に、基板３１を取り付けるための止具穴等を設けるようにしてもよい。
【００３６】
基板３１は、薄平板状とされており、厚さ方向を棒状導光体３７の長手方向に沿わせて配設される。この基板３１の棒状導光体３７側には、光源３２となる発光素子としてのＬＥＤやコネクターなどの電子部品が実装されている。
なお、光源３２としてのＬＥＤとしては、発光素子（ＬＥＤ素子）を樹脂等で封止した砲弾型のものや、チップ形状、その他の形状とされたものとしてもよく、表面実装型のものを採用するようにしてもよい。また、基板３１に実装される光源３２としてのＬＥＤとしては、単一に限られず、複数としてもよい。また、基板３１に実装される光源３２としては、ＬＥＤに限られず、他の半導体発光素子や他の発光素子を採用するようにしてもよい。また、基板３１は、当該基板３１に実装される各種電子部品等からの伝熱性を向上させ、放熱性を向上させる観点等からアルミニウム等の金属系材料から形成されたものとしてもよく、絶縁層等を積層した多層構造としてもよい。また、基板３１のケース３３への取付態様としては、止具穴等を両者に設け、止具によって取り付けるようにしてもよく、または、接着剤等によって取り付ける態様としてもよい。
【００３７】
表面カバー３９は、薄平板状とされ、その厚さ方向一方面がケース３３に収容された棒状導光体３７の出射面３８に当接または近接して配設される。また、この表面カバー３９は、その厚さ方向他方面が取付部２１の収納凹所２２の開口側に配設され、収納凹所２２の上下の開口縁を構成する上片部２４及び下片部２７の各後端縁部と概ね同一平面上に位置するように配設される。
このような表面カバー３９を設けることで、照射パターンを異ならせた照明本体部３０を簡易に実現することができ、汎用性を向上させることができる。つまり、種々の配光パターンが形成された複数の異なる表面カバー３９を形成することで、表面カバー３９以外を共通部材とすることができ、汎用性を向上させることができる。
【００３８】
本実施形態では、図３（ａ）に示すように、表面カバー３９に、棒状導光体３７の出射面３８からの出射方向を、更に斜め上向きに配光する配光パターンを形成した例を示している。図例では、表面カバー３９を経た光が棒状導光体３７の出射面３８からの出射方向（出射光の光軸）よりも斜め上方側に指向するような配光パターンを形成した例を示している。このような配光パターンを形成した表面カバー３９を設けることで、照射対象面となる当該棚板装置１の上方側の奥側壁面５を、より効果的に広範囲に亘って照射することができる。
【００３９】
なお、この表面カバー３９のケース３３への取付態様としては、接着剤や粘着テープ等の粘着材によって取り付ける態様としてもよい。または、表面カバー３９の板幅方向両側に、係合部を設け、ケース３３の開口両側縁に、この係合部に係合する被係合部を設け、ケース３３に対して嵌め込むように表面カバー３９を取り付ける態様としてもよい。
また、上記した表面カバー３９の配光パターンは一例であり、他の配光パターンを形成するようにしてもよく、さらにはこのような配光パターンを設けずに、棒状導光体３７からの出射光を配光せずに透過させる表面カバー３９としてもよい。
【００４０】
上記構成とされた照明本体部３０は、長手方向両端部の基板３１，３１の光源３２，３２から棒状導光体３７の長手方向両端面の入射面に入射された光を、棒状導光体３７の反射部や反射面によって反射させ、長手方向に沿って導光しながら、出射面３８（表面カバー３９）から全長に亘って概ね一様に出射する構成とされている。
なお、この照明本体部３０を、取付部２１の収納凹所２２に収納させる態様としては、収納凹所２２の開口側から収納凹所２２の深さ方向に収納させるようにしてもよく、または、収納凹所２２の長手方向一端側からスライドさせるように収納させる態様としてもよい。また、この照明本体部３０を、取付部２１の収納凹所２２の内面に、接着剤や粘着テープ等の粘着材によって取り付ける態様としてもよい。
【００４１】
また、この照明本体部３０への給電用の電源コードなどが挿通される配線孔を、取付部２１に設けた配線収納凹所２３に連通するように、下片部２７等に設け、収納空間２の奥側壁面５側や、一方の内壁６，８側から電源コードなどを配線するようにしてもよい。または、照明本体部３０の長手方向一端面とこれに対向する内壁６（８）との間に配線用の隙間を設けて配線するようにしてもよい。また、後記する透光性カバー部４０に、配線用の切欠部や孔等を設けるようにしてもよい。
また、この照明本体部３０のＯＮ／ＯＦＦや調光等をするための操作部等を、当該棚板装置１の適所に設けるようにしてもよく、または、設置対象となる収納装置の適所に設けるようにしてもよい。さらには、照明本体部３０の操作部として、無線式（ワイヤレス式）の操作部を備えたものとしてもよい。
【００４２】
透光性カバー部４０は、上記した棒状導光体３７と概ね同様の透光性を有した材料から形成されており、図１及び図２に示すように、取付部２１の長さ寸法と略同長さ寸法とされた略細長薄平板状とされている。
この透光性カバー部４０は、図３に示すように、その前端面が棚板本体１０の後端面に当接されて取付部２１の上片部２４の上面２４ａに載置されている。また、この透光性カバー部４０は、その上面が棚板本体１０の上面１１と略面一状となるように設けられている。図例では、透光性カバー部４０の上面を、棚板本体１０の上面１１よりも僅かに段下がり状に配置した例を示している。また、この透光性カバー部４０は、当該棚板装置１を収納空間２に組み込んだ状態で、その後端面が奥側壁面５に当接または近接して配設される。
【００４３】
また、この透光性カバー部４０は、取付部２１の上片部２４の上面２４ａを覆う部位としての前側部位４１と、収納空間２の奥側壁面側部位としての後側部位４２と、を備え、前後寸法が取付部２１の前後寸法よりも大きく形成されている。
前側部位４１の前後寸法は、取付部２１（上片部２４）の前後寸法に応じた寸法とされている。
後側部位４２の前後寸法は、収納空間２の奥行寸法や、所望する照射範囲、見栄え上の観点等から適宜、設定するようにしてもよく、例えば、１０ｍｍ〜５０ｍｍ程度としてもよい。この後側部位４２の前後寸法が余りにも小さければ、照射範囲が小さくなる傾向がある。一方、この後側部位４２の前後寸法が余りにも大きければ、照射範囲が大きくなる傾向があるが透光性カバー部４０が目立ち易くなる傾向がある。
【００４４】
また、本実施形態では、透光性カバー部４０の下面側に、前側部位４１よりも後側部位４２の厚さ寸法を取付部２１の上片部２４に応じて大きくして段差部（段壁部）４３を設けている。換言すれば、透光性カバー部４０の下面側の前側部位４１に、取付部２１の上片部２４を受け入れる凹状段部を設けた態様としている。
この透光性カバー部４０の段差部４３に、取付部２１の上片部２４の後端縁部２４ａが当接される。
なお、この透光性カバー部４０は、その前側部位４１の下面と取付部２１の上片部２４の上面２４ａとを接着剤や粘着テープ等の粘着材によって固定することで、取付部２１に取り付けるようにしてもよい。
また、この透光性カバー部４０は、乳白色等に着色されて透光性を有したものとしてもよい。
【００４５】
本実施形態に係る棚板装置１は、上述のような構成としたことで、当該棚板装置１の略全幅から収納空間２の奥側面（奥側壁面）５を効果的に照射することができ、また、見栄えを向上させることができる。
つまり、棚板本体１０の全幅に亘って後端面１２に取り付けられ、収納空間２を区画する奥側壁面５を照射するように配設される照明装置２０を備えている。従って、当該棚板装置１や、当該棚板装置１の下段側の棚板１Ａ等に載置等された物品等を、背面側（収納空間２の奥側壁面５側）から間接照明的に照らし出すことができ、落ち着きのある雰囲気等を醸し出し、間接照明光による演出効果を実現することができる。
また、照明装置２０に、棚板本体１０の略全幅に亘る発光部（棒状導光体）３７を有した照明本体部３０を設けている。従って、当該棚板装置１の略全幅から収納空間２の奥側壁面５を効果的に照射することができる。
また、この照明装置２０を棚板本体１０の後端面１２に取り付けているので、照明装置２０が前方側から目立ち難くなり、見栄えを損なうようなことがない。
【００４６】
また、本実施形態では、照明装置２０は、取付部２１の上面２４ａ側に棚板本体１０の全幅に亘るように設けられ、棚板本体１０の後端面１２と収納空間２の奥側壁面５との間を覆うように配設される透光性カバー部４０を備えている。従って、当該棚板装置１に載置等された物品等が棚板本体１０と収納空間２の奥側壁面５との間から落下するようなことを防止することができる。また、この透光性カバー部４０は、棚板本体１０の後端面１２に全幅に亘って取り付けられた取付部２１の上面２４ａ側に棚板本体１０の全幅に亘るように設けられているので、当該棚板装置１の後端部の外観が全幅に亘って略一様の外観を呈することとなり、見栄えを向上させることができる。また、照明本体部３０の棒状導光体３７から出射された光の透光性カバー部４０による拡散効果も相俟って、当該棚板装置１の略全幅から収納空間２の奥側壁面５をより効果的に照射することができる。
【００４７】
また、本実施形態では、取付部２１の収納凹所２２を、照明本体部３０の棒状導光体３７の出射方向が斜め上向きに指向するように、斜め上向きに開口するように設けている。従って、斜め上方に向けて効果的に出射させることができ、当該棚板装置１の上方側の収納空間２の奥側壁面５を効果的に広範囲に照射することができる。
また、本実施形態では、透光性カバー部４０を、取付部２１とは別体的に設けているので、照明本体部３０を収納し、棚板本体１０の後端面１２に取り付けられる取付部２１を、金属系材料や硬質の合成樹脂系材料等の比較的に強度を有した材料で形成することもできる。
【００４８】
また、本実施形態では、透光性カバー部４０の下面側に、前側部位４１よりも後側部位４２の厚さ寸法を取付部２１の上片部２４に応じて大きくして段差部４３を設けている。従って、取付部２１に対する透光性カバー部４０の位置決めを容易に行うことができ、透光性カバー部４０を取付部２１に組み付ける際における作業性を向上させることができる。また、このような段差部４３を設けていない場合と比べて、出射方向が斜め上向きに指向するように配された照明本体部３０の棒状導光体３７からの出射光を、透光性カバー部４０に効果的に入射させ易くなり、透光性カバー部４０による拡散効果を向上させることができる。
【００４９】
また、本実施形態では、取付部２１に、収納凹所２２の底面において開口するように、収納空間２の奥行方向に沿う方向に貫通する止具挿通孔２６を設けている。従って、例えば、取付部２１に、棚板本体１０の上面側や下面側等に延びるように止具９によって固定される取付片を設けたような場合と比べて、取付部２１を棚板本体１０の後端面１２に取り付けるための止具９を目立ち難くすることができる。
なお、止具挿通孔２６を上記箇所に設けた態様に代えて、上記した垂下片２８や、突片部２９等に設けるようにしてもよい。この場合は、垂下片２８や突片部２９を、止具挿通孔２６の形成が可能なように適宜、変形するようにしてもよい。
また、このような止具挿通孔を設けた態様に代えて、上記した各箇所に、止具９の止着箇所としての略Ｖ字状溝等の目印溝を取付部２１の全長に亘って設けた態様としてもよい。さらには、このように止具９によって取付部２１を棚板本体１０の後端面１２に取り付ける態様に代えて、接着剤や粘着テープ等の粘着材によって取付部２１を棚板本体１０の後端面１２に取り付ける態様としてもよい。
【００５０】
また、本実施形態では、取付部２１に、収納凹所２２の底面に連通するように配線収納凹所２３を設けている。従って、収納凹所２２に収納された照明本体部３０の光源３２（基板３１）への配線を配線収納凹所２３を利用して配線することができる。また、この配線収納凹所２３を、収納凹所２２の底面（溝底）に連通するように設けているので、例えば、収納凹所２２の上側や下側等の側壁に連通するように設けた場合と比べて、収納凹所２２を区画する部位の厚さ寸法を効率的に薄くすることができる。
【００５１】
また、本実施形態では、単一の照明本体部３０を取付部２１の長手方向に沿って設けた構造としている。従って、例えば、取付部２１の長手方向に沿って複数の照明本体部３０を直列状に隣接させて設けた態様とした場合と比べて、基板３１等が介在されることに起因する非発光領域が生じるようなことを防止することができる。
また、本実施形態では、照明本体部３０を、発光部としての棒状導光体３７の長手方向両端部に入射面を設け、両入射面のそれぞれに光源３２，３２を対向配置させた構成としている。従って、例えば、光源３２の光を棒状導光体３７の長手方向一端部のみから入射させる照明本体部とした場合と比べて、照明本体部３０の長手方向他端側における発光不足や、長手方向に沿う発光の不均一等を抑制することができる。また、例えば、取付部２１の長手方向に沿って長尺とされた略帯板状の基板に、複数の光源としてのＬＥＤ等を取付部２１の長手方向に沿って間隔を空けて設けた態様とした場合と比べて、当該照明本体部３０の長手方向に沿う発光の均一性や指向性等を効率的に向上させることができる。
【００５２】
なお、本実施形態では、照明本体部３０に、ケース３３を設け、このケース３３の開口を覆う表面カバー３９を設けた例を示しているが、このような表面カバー３９を設けないようにしてもよい。または、このような表面カバー３９をケース３３と一体的に設けるようにしてもよい。
また、本実施形態では、照明本体部３０に、棒状導光体３７を収容するケース３３を設けた例を示しているが、このような態様に限られない。例えば、このようなケース３３を設けずに、棒状導光体３７や基板３１等を、取付部２１の収納凹所２２に直接的に組み付けて照明本体部３０を構成する態様としてもよい。この場合は、取付部２１の収納凹所２２に、棒状導光体３７や基板３１等を保持する係合部を設けるようにしてもよい。また、この場合は、取付部２１の収納凹所２２の開口を、上記同様の表面カバーによって覆うようにしてもよい。
【００５３】
また、本実施形態では、棒状導光体３７の長手方向両端面に入射面を設け、各入射面に光源３２，３２を対向配置させた照明本体部３０を例示しているが、このような態様に限られない。例えば、棒状導光体の長手方向一端面のみを入射面とし、その入射面に光源を対向配置させた照明本体部を採用するようにしてもよい。この場合は、棒状導光体の長手方向他端面を反射部としてもよい。さらには、照明本体部３０としては、このような長尺棒状の導光体の長手方向に沿って形成された一側面部を出射面としたものに限られない。例えば、取付部２１の長手方向に沿って長尺とされた略帯板状の基板に、複数の光源としてのＬＥＤ等を取付部２１の長手方向に沿って間隔を空けて設けた照明本体部としてもよい。この場合は、複数の光源を、発光部として把握するようにしてもよく、または、上記のような表面カバーを設けた場合には、表面カバーを発光部として把握するようにしてもよい。また、照明本体部３０の光源としては、ＬＥＤ等の発光素子に限られず、蛍光管等を発光部として設けるようにしてもよい。
【００５４】
また、本実施形態では、透光性カバー部４０の下面側に段差部４３を設けた例を示しているが、このような段差部４３を設けないようにしてもよい。また、上記のように、透光性カバー部４０と取付部２１とを別体とせずに、取付部２１に一体的に透光性カバー部４０を設けた態様としてもよい。この場合は、透光性カバー部４０の少なくとも後側部位４２を、透光性を有したものとしてもよく、取付部２１の上片部２４も含んで透光性を有したものとしてもよく、さらには、取付部２１の全体を、透光性を有したものとしてもよい。
また、取付部２１の下面側にも棚板本体１０の全幅に亘るように、棚板本体１０の後端面１２と収納空間２の奥側壁面５との間を覆うように配設される上記と略同様の透光性カバー部を設けるようにしてもよい。または、このような透光性カバー部に代えて、透光性を有しない遮蔽カバー部を取付部２１の下面側に設けるようにしてもよい。
また、本実施形態では、透光性カバー部４０を照明装置２０に設けた例を示しているが、このような透光性カバー部４０を設けた態様に限られない。例えば、照明装置２０の後端と収納空間２の奥側壁面５との間の隙間における物品等の落下を防止するように、該隙間に複数本の桟を架け渡すように設けたり、網目状やパンチング状の多孔状部材を架け渡すように設けたりするようにしてもよい。さらには、このような透光性カバー部４０や、桟、多孔状部材等の透光可能な落下防止部を照明装置２０の後端に設けずに、照明装置２０の後端と収納空間２の奥側壁面５との間に隙間が形成される態様としてもよい。
【００５５】
また、本実施形態では、取付部２１の収納凹所２２を、照明本体部３０の発光部（棒状導光体）３７の出射方向が斜め上向きに指向するように、斜め上向きに開口するように設けた例を示しているが、このような態様に限られない。例えば、取付部２１の収納凹所２２を、照明本体部３０の発光部３７の出射方向が真後ろ方向に指向するように、真後ろ方向に開口するように設けるようにしてもよい。このような態様とすれば、当該棚板装置１の上方側及び下方側の奥側壁面５を均等状に照射することもできる。
また、当該棚板装置１の上方側及び／または下方側の奥側壁面５をより効果的に照射したい場合等においては、奥側壁面５に沿わせるように、当該棚板装置１の発光部３７からの出射光を上方側及び／または下方側の奥側壁面５へ反射させる反射部材等を設けるようにしてもよい。また、このような反射部材を、透光性カバー部４０の後端部に一体的にまたは別体的に設けるようにしてもよい。
【符号の説明】
【００５６】
１        棚板装置
１０      棚板本体
１２      後端面
２０      照明装置
２１      取付部
２２      収納凹所
２３      配線収納凹所
２４      上片部
２４ａ    上面
２６      止具挿通孔
３０      照明本体部
３２      光源（発光素子）
３７      棒状導光体（導光体、発光部）
４０      透光性カバー部
４１      前側部位（取付部の上面を覆う部位）
４２      後側部位（収納空間の奥側面側部位）
４３      段差部
２        収納空間
５        奥側壁面（奥側面）
６        壁面（内壁）
８        側面（内壁）
９        止具
【図１】
2014020814.tif 000003
【図２】
2014020814.tif 000004
【図３】
2014020814.tif 000005
【図４】
2014020814.tif 000006
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、
前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えており、
前記取付部の収納凹所は、当該収納凹所に収納された前記照明本体部の発光部の出射方向が斜め上向きに指向するように、斜め上向きに開口するように設けられていることを特徴とする棚板装置。
【請求項２】
収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、
前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、前記取付部の上面側に前記棚板本体の全幅に亘るように設けられ、前記棚板本体の後端面と前記収納空間の奥側面との間を覆うように配設される透光性カバー部と、を備えており、
前記透光性カバー部は、前記取付部とは別体的に前記取付部の上面に載置されるように配設される構成とされ、かつ、その下面側に、該取付部の上面を覆う部位よりも前記収納空間の奥側面側部位の厚さ寸法を前記取付部の収納凹所を区画する上片部に応じて大きくして段差部を設けていることを特徴とする棚板装置。
【請求項３】
収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、
前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えており、
前記取付部には、前記収納凹所の底面に連通するように配線収納凹所が設けられていることを特徴とする棚板装置。
【請求項４】
請求項１乃至３のいずれか１項において、
前記照明本体部は、前記棚板本体の幅方向に延び、少なくとも長手方向一端部に入射面を設け、長手方向一側面部に出射面を設けた前記発光部を構成する導光体と、この導光体の入射面に対向配置された発光素子と、を備えていることを特徴とする棚板装置。
【請求項５】
請求項１乃至４のいずれか１項において、
前記取付部には、前記収納凹所の底面において開口するように、前記収納空間の奥行方向に沿う方向に貫通する止具挿通孔が設けられており、該取付部は、該止具挿通孔に挿通された止具によって前記棚板本体の後端面に取り付けられていることを特徴とする棚板装置。
【手続補正２】
【補正対象書類名】明細書
【補正対象項目名】０００６
【補正方法】変更
【補正の内容】
【０００６】
上記目的を達成するために、本発明に係る棚板装置は、収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えており、前記取付部の収納凹所は、当該収納凹所に収納された前記照明本体部の発光部の出射方向が斜め上向きに指向するように、斜め上向きに開口するように設けられていることを特徴とする。
また、上記目的を達成するために、本発明に係る棚板装置は、収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、前記取付部の上面側に前記棚板本体の全幅に亘るように設けられ、前記棚板本体の後端面と前記収納空間の奥側面との間を覆うように配設される透光性カバー部と、を備えており、前記透光性カバー部は、前記取付部とは別体的に前記取付部の上面に載置されるように配設される構成とされ、かつ、その下面側に、該取付部の上面を覆う部位よりも前記収納空間の奥側面側部位の厚さ寸法を前記取付部の収納凹所を区画する上片部に応じて大きくして段差部を設けていることを特徴とする。
また、上記目的を達成するために、本発明に係る棚板装置は、収納空間を区画する両側内壁に架け渡されるように配設される略矩形平板状の棚板本体と、該棚板本体の全幅に亘って後端面に取り付けられ、前記収納空間を区画する奥側面を照射するように配設される照明装置と、を備えており、前記照明装置は、前記収納空間の奥側面に向けて開口するように前記棚板本体の全幅に亘る収納凹所を設け、該棚板本体の後端面に取り付けられた取付部と、該取付部の収納凹所に収納され、前記棚板本体の略全幅に亘る発光部を有した照明本体部と、を備えており、前記取付部には、前記収納凹所の底面に連通するように配線収納凹所が設けられていることを特徴とする。
【手続補正３】
【補正対象書類名】明細書
【補正対象項目名】０００７
【補正方法】変更
【補正の内容】
【０００７】
本発明においては、前記照明本体部を、前記棚板本体の幅方向に延び、少なくとも長手方向一端部に入射面を設け、長手方向一側面部に出射面を設けた前記発光部を構成する導光体と、この導光体の入射面に対向配置された発光素子と、を備えたものとしてもよい。
また、本発明においては、前記取付部に、前記収納凹所の底面において開口するように、前記収納空間の奥行方向に沿う方向に貫通する止具挿通孔を設け、該取付部を、該止具挿通孔に挿通された止具によって前記棚板本体の後端面に取り付けるようにしてもよい。
【国際調査報告】
2014020814.tif 000007
2014020814.tif 000008
2014020814.tif 000009
2014020814.tif 000010